(57)【要約】【課題】  本物の餌に近似し、釣果の向上を期待できる擬似餌を提供する。【解決手段】  本考案の擬似餌１０は、擬似餌本体１と、前記擬似餌本体１の下方部から延出された、可撓性を有する複数の揺動体２と、を有し、前記複数の揺動体２が、所定間隔を空けて一列に配設されており、下面視における前記複数の揺動体２の延出方向が、前記擬似餌本体１の前後方向と略平行である。【選択図】  図２
0003208387.tif 000002
【実用新案登録請求の範囲】
【請求項１】
擬似餌本体と、
前記擬似餌本体の下方部から延出された、可撓性を有する複数の揺動体と、を有し、
前記複数の揺動体が、所定間隔を空けて一列に配設されており、
下面視における前記複数の揺動体の延出方向が、前記擬似餌本体の前後方向と略平行であることを特徴とする擬似餌。
【請求項２】
前記各揺動体が、前記擬似餌本体から延出された棒状部と、前記棒状部の先端から延出された水掻き部と、をそれぞれ有し、
前記水掻き部が、前記棒状部よりも幅の広い部分を有する、請求項１に記載の擬似餌。
【請求項３】
下面視において、前記各揺動体が前記擬似餌本体の輪郭の内側に位置している、請求項１又は２の何れか一項に記載の擬似餌。
【請求項４】
下面視において、前記各揺動体の基端を結ぶことで観念される仮想線が、擬似餌本体の前後方向と略平行又は擬似餌本体の前後方向と０°を超え９０°未満の内角を成す、請求項１乃至３の何れか一項に記載の擬似餌。
【考案の詳細な説明】
【技術分野】
【０００１】
本考案は、魚釣りに使用される擬似餌に関する。
【背景技術】
【０００２】
従来、様々な形状の擬似餌が魚釣りに使用されている。
例えば、釣りの対象となる魚（対象魚）の餌の外形を真似た擬似餌本体と、その擬似餌本体の後方に設けられた釣針と、を有する擬似餌が知られている。
擬似餌本体の形状は、対象魚の種類によって変えることができる。例えば、対象魚の１つであるイカはエビを好むため、エビの外形を真似た形状の擬似餌本体を有する擬似餌は、イカ釣り用として好適である。
本物の餌であると対象魚が誤認し易い擬似餌が求められているが、擬似餌本体のデザインを本物の餌に真似るにも限界がある。そのため、本件出願人は、特許文献１に記載の擬似餌を提案している。
【０００３】
特許文献１に記載の擬似餌は、擬似餌本体と、擬似餌本体から延出された可撓性を有する左右一対の揺動体と、を有している。この擬似餌は、水中において、揺動体が揺れ動くので、擬似餌本体のデザインと揺動体の相乗効果により、対象魚に擬似餌を本物の餌と誤認させることができる。
特許文献１の擬似餌は、擬似餌本体のデザインと揺動体の相乗効果により優れた釣果を挙げることができるものの、より釣果の向上が期待できる擬似餌が求められている。
【先行技術文献】
【特許文献】
【０００４】
【特許文献１】特開２０１５−７０８５８号公報
【考案の概要】
【考案が解決しようとする課題】
【０００５】
本考案の目的は、より釣果の向上を期待できる擬似餌を提供することである。
【課題を解決するための手段】
【０００６】
本考案の擬似餌は、擬似餌本体と、前記擬似餌本体の下方部から延出された、可撓性を有する複数の揺動体と、を有し、前記複数の揺動体が、所定間隔を空けて一列に配設されており、下面視における前記複数の揺動体の延出方向が、前記擬似餌本体の前後方向と略平行である。
【０００７】
本考案の擬似餌は、好ましくは、前記各揺動体が、前記擬似餌本体から延出された棒状部と、前記棒状部の先端から延出された水掻き部と、をそれぞれ有し、前記水掻き部が、前記棒状部よりも幅の広い部分を有する。
また、好ましくは、下面視において、前記各揺動体が前記擬似餌本体の輪郭の内側に位置している。
また、好ましくは、下面視において、前記各揺動体の基端を結ぶことで観念される仮想線が、擬似餌本体の前後方向と略平行又は擬似餌本体の前後方向と０°を超え９０°未満の内角を成す。
【考案の効果】
【０００８】
本考案の擬似餌は、複数の揺動体が、所定間隔を空けて一列に配設されており、且つ、下面視において、複数の揺動体の延出方向が、擬似餌本体の前後方向と略平行である。そのため、本考案の擬似餌は、優れた外観効果及び波動効果を奏するだけでなく、擬似餌の操作性も向上し、その結果、釣果の向上が期待できる。
【図面の簡単な説明】
【０００９】
【図１】本考案の第１実施形態に係る擬似餌を示す側面図。
【図２】同擬似餌の下面図。
【図３】図２のＩＩＩ部拡大図。
【図４】（ａ）は、本考案の第２実施形態の第１例に係る擬似餌を示す側面図であり、（ｂ）は、本考案の第２実施形態の第２例に係る擬似餌を示す側面図。
【図５】本考案の第３実施形態に係る擬似餌を示す下面図。
【考案を実施するための形態】
【００１０】
以下、図面を参照しつつ、本考案の第１実施形態に係る擬似餌について説明した後、第２及び第３実施形態に係る擬似餌について順番に説明する。なお、第２及び第３実施形態に係る擬似餌については、これまでに説明した擬似餌との相違点について説明し、共通する構成及び作用・効果については説明を適宜省略する。各図における、厚み及び大きさなどの寸法は、実際のものとは異なっている点に留意されたい。
また、本明細書において、「〜」で結ばれた数値は、「〜」の前後の数値を下限値及び上限値とする数値範囲を意味する。複数の下限値と複数の上限値が個別に記載されている場合、任意の下限値と上限値を選択し、「〜」で結ぶことができる。
【００１１】
［第１実施形態］
図１乃至図３に示すように、本考案の第１実施形態に係る擬似餌１０は、擬似餌本体１、複数の揺動体２、釣り針３、ミチ糸連結部４、及び錘５を有する。複数の揺動体２は、擬似餌本体１の下方部から延出されており、所定間隔を空けて一列に配設されている。
ここで、「前方」とは、擬似餌１０のミチ糸連結部４に取り付けられたミチ糸を水中で引いた際における擬似餌１０の進行方向を意味し、「後方」とは、前方と反対方向を意味する。また、「上方」とは、水中で進行中の擬似餌１０を基準にして水面に向かう方向を意味し、「下方」とは、水中で進行中の擬似餌１０を基準にして水底に向かう方向を意味する。図１に示す擬似餌１０の側面図を基準にすると、紙面の左側が「前方」であり、紙面の右側が「後方」であり、紙面の上側が「上方」であり、紙面の下側が「下方」である。また、本明細書において、「幅方向」は、前後方向と上下方向の双方と直交する方向である。「側面視」とは、幅方向から擬似餌を観察することであり、「下面視」とは、下方から擬似餌を観察することである。
以下、擬似餌１０を構成する主要な部材について説明する。
【００１２】
（擬似餌本体）
擬似餌本体１は、本考案の擬似餌１０の中核となる部材である。擬似餌１０を構成する擬似餌本体１以外の各部材は、全て擬似餌本体１に直接又は間接的に連結される。
擬似餌本体１の形状は特に限定されず、好ましくは、対象魚の餌（小魚など）の外形を模した形状に形成される。また、擬似餌本体１には、対象魚の興味を引くような彩色が施されていてもよい。もっとも、本考案の擬似餌は、揺動体を有するところ、この揺動体に対応するような器官を有する餌の外形を模すことが好ましい。そのため、擬似餌本体１の形状は、節足や触角を有する節足動物の外形を模すことが好ましい。本実施形態では、図１乃至図３に示すように、擬似餌本体１は、節足動物の一種であるエビを模した形状に形成されており、エビの器官（目など）を再現した彩色が施されている。擬似餌本体１の長さは特に限定されないが、本実施形態のようにエビを模した場合、通常、５〜２５ｃｍであり、好ましくは５〜２０ｃｍであり、より好ましくは１０〜２０ｃｍである。
擬似餌本体１は、概念的に、頭部１１、胴部１２及び尾部１３の３つの領域に区分けできる。頭部１１は、擬似餌本体１の前方部であり、尾部１３は、擬似餌本体１の後方部であり、胴部１２は、擬似餌本体１の頭部１１及び尾部１３を除いた部分（頭部１１と尾部１３の間に位置する部分）である。本実施形態では、図１に示すように、擬似餌本体１の胴部１２の下方部から複数の揺動体２が延出されており、擬似餌本体１の尾部１３の後方部に釣り針３が設けられている。
【００１３】
擬似餌本体１の形成材料は特に限定されず、対象魚が擬似餌１０に食いついても壊れない程度の機械的強度を有する材料が用いられる。このような材料としては、例えば、金属、木材、樹脂などが挙げられ、好ましくは樹脂が用いられる。特に、成形が容易であることから、ＡＢＳ樹脂が好ましく用いられる。
擬似餌本体１は、中空状に形成されていてもよく、中実状に形成されていてもよい。擬似餌本体１を中空状に形成する場合、球状の錘（ラトル）を擬似餌本体１の内部に転動可能に収容することもできる。この場合、水中で擬似餌１０が揺動すると、擬似餌本体１の内部に収容されたラトルが転がる。そして、ラトルが擬似餌本体１の内壁と衝突することによりラトル音が発生し、このラトル音によって対象魚の興味を擬似餌１０に向けさせることが可能である。
【００１４】
擬似餌本体１の頭部１１には、ミチ糸連結部４が設けられている。ミチ糸連結部４は、擬似餌本体１に対してミチ糸（図示せず）を結び付けるための部分である。
ミチ糸連結部４は、擬似餌本体１から突出したＵ字状の部材であり、一般的には、針金を用いて形成される。例えば、針金の一端部と他端部を擬似餌本体１に埋め込み、且つ、その両端部を除く中途部と擬似餌本体１の表面との間に間隙が生じるように針金を取り付けることにより、擬似餌本体１からＵ字状に突出したミチ糸連結部４を形成することができる。また、２つの環部を有する８の字状に形成した針金を擬似餌本体１に埋め込み、その一方の環部を擬似餌本体１から突出させることで擬似餌本体１からＵ字状に突出したミチ糸連結部４を形成することもできる。
【００１５】
擬似餌本体１の尾部１３には、釣り針３が設けられている。本実施形態では、傘状の釣り針３が尾部１３に固着されている。なお、このような固定式の釣り針３に代えて、擬似餌本体１の尾部１３に釣り針連結部を設け、この釣り針連結部にフック状の釣り針３（例えばトレブルフックなど）を取り付けてもよい（図示せず）。釣り針連結部の形状及び材料は、一般的に、ミチ糸連結部と同様である。
また、釣り針３が設けられる位置は尾部１３に限定されず、対象魚に応じてその位置を適宜変更することができる。例えば、釣り針３は擬似餌本体１の胴部１２に設けられていてもよい。
【００１６】
擬似餌本体１の頭部１１の下方部には、錘５が設けられている。錘５は、擬似餌１０を水中で素早く沈降させる部材であり、本実施形態では、側面視において楕円形状の錘５が用いられている。錘５の材料としては、例えば、鉛、銅、真鍮、ステンレス鋼、セラミックスや比較的に比重の大きいプラスチックなどが用いられる。
なお、擬似餌本体１が中空状である場合、擬似餌本体１の内部に錘５を収容することも可能である。擬似餌本体１の内部に錘５を収容することにより、擬似餌本体１の外観がより本物の餌に近くなるため、釣果の向上が期待できる。
【００１７】
（揺動体）
揺動体２は、可撓性を有しており、水中で擬似餌１０が遊泳する際に前後左右に揺動する部材である。揺動体２が揺動することにより、擬似餌本体１のデザインと相俟って、その外観で対象魚を誘い寄せるのみならず、揺動体２の揺動によって生じる水の動き（以下、波動と称する）によって擬似餌１０の遠くにいる対象魚を誘い寄せることが可能である。このように、揺動体２は、擬似餌本体１のデザインと協働して対象魚にとって魅力的な外観を呈するという外観効果、及び、波動によって遠くにいる対象魚を誘い寄せるという波動効果という２つの効果を奏する部材である。
【００１８】
ここで、水中で動く本物の餌の器官（例えば、触角や節足）の形状及び配置を忠実に再現した揺動体を擬似餌本体に取りつけることにより、外観効果と波動効果に優れる擬似餌を作製できるように一見思われる。しかしながら、本考案者が鋭意研究したところ、本物の餌の器官の形状及び配置を忠実に再現したからといって優れた外観効果と波動効果を奏するとは限らないことが判明した。つまり、揺動体は、本物の餌の器官と同じ成分で形成されているわけではないうえ、揺動体は水流によって揺動するものであり、本物の器官のように餌の意思によって自由に動かせるものでもない。そのため、本物の餌の器官の形状及び配置を忠実に再現した揺動体を用いても、その水中における挙動は本物の器官と異なる場合が多く、それ故、本物の餌が発する波動と擬似餌が発する波動も異なる場合が多い。
また、本物の餌の器官の形状及び配置を忠実に再現した揺動体を用いた場合、揺動体による空気抵抗が大きくなり、擬似餌をキャスティングした際、遠くまで擬似餌を投げ難くなる場合がある。また、水中においては、揺動体による抵抗が大きくなり、擬似餌を不規則に動かしたり（一般的に、「ダート」と称される）、水面に向かって急上昇させる（一般的に、「シャクリ」と称される）ことが難しくなる虞がある。即ち、本物の餌の器官の形状及び配置を忠実に再現した揺動体を用いた場合、擬似餌の操作性が低下する場合がある。
このような知見に基づいて本考案者が鋭意研究を行った結果、揺動体２を所定間隔を空けて一列に配設し、且つ、下面視における揺動体の延出方向を擬似餌本体１の前後方向と略平行とすることで、優れた外観効果と波動効果を効果的に奏するだけでなく、操作性にも優れる擬似餌１０を作製できることを見出した。
以下、揺動体の形状及び配置について図面を参照しつつ具体的に説明する。
【００１９】
本実施形態では、図１乃至３に示すように、擬似餌本体１の下方部から前方斜め下がりに延出された複数（本実施形態では３つ）の揺動体２が設けられている。
本考案において、揺動体２の形状は特に限定されず、擬似餌本体１のデザインを考慮して適宜設定できる。好ましくは、水中において擬似餌１０を遊泳させた際、揺動体２が動き易くなることから、揺動体２は、棒状に形成された部分（棒状部２１）を有することが好ましい。この場合、揺動体２の全体が棒状に形成されていてもよいし、或いは、揺動体２の一部が棒状に形成されていてもよいが、揺動体２の一部が棒状に形成されていることが好ましく、さらに、図２及び図３に示すように、揺動体２の基端２３（揺動体２が擬似餌本体１に接する部分）から中途部までが棒状に形成されていることがより好ましい。本実施形態では、複数の揺動体２は各々１本の棒状部２１を有している。なお、複数の揺動体２の形状は、全て同じであってもよく、それぞれ異なっていてもよい。後述する揺動体２の長さなどについても同様である。
棒状部２１の断面形状は特に限定されず、円状、楕円状、四角状、三角状などの所定の形状とすることができる。本実施形態では、棒状部２１の断面形状は、幅方向に長軸を有する楕円状である。
【００２０】
図２及び図３に示すように、揺動体２の基端２３から中途部まで棒状に形成されている場合、その中途部から先には（即ち、棒状部２１の先端には）棒状部２１よりも幅の広い部分を有する水掻き部２２が延出されていることが好ましい。水掻き部２２は棒状部２１よりも幅の広い部分を有するため、棒状部２１よりも水流を受け易く、より大きく揺動し易い。
水掻き部２２の形状は、棒状部２１よりも幅の広い部分を有することを条件として特に限定されないが、好ましくは、擬似餌本体１の前方に臨む面を有する扁平状の部分である。水掻き部２２は、複数に分岐された分岐部２２１を有することが好ましい。本実施形態では、図３に示すように、水掻き部２２は、２つの分岐部２２１を有しており、その先端に向かうにつれ２つの分岐部２２１が擬似餌本体１の幅方向に離反するように設けられている。換言すると、本実施形態において、水掻き部２２は、Ｖ字状の切れ目を有する扁平状の部分である。
【００２１】
各分岐部２２１の長さは、全て同じでもよく、異なっていてもよい。本実施形態では２つの分岐部２２１の長さは同じである。
また、分岐部２２１の数は２つ以上であれば特に限定されず、３つ以上であってもよい。分岐部２２１の数の上限値は特に限定されないが、通常４つである。
水掻き部２２が分岐部２２１を有することにより、水中において各分岐部２２１が個々に揺動するため、外観効果と波動効果をより高めることができる。
【００２２】
揺動体２の長さは特に限定されず、擬似餌本体１のデザインを考慮して適宜設定することができる。もっとも、本考案者の知見では、擬似餌本体１の長さに対して揺動体２が著しく短い場合、揺動体２が水流を受け難くなり波動効果が弱まる虞があり、擬似餌本体１の長さに対して揺動体２が著しく長い場合、揺動体２が過度に水流を受けることにより、擬似餌１の操作性が低下する虞がある。また、著しく長い揺動体２は、後述するキャリーボックスに擬似餌１０を収納した際、折り癖がつき易い。
これらを考慮すると、揺動体２の長さの下限値は、好ましくは擬似餌本体１の長さ（前後方向における長さ）の１／２０倍であり、より好ましくは１／１５倍であり、さらに好ましくは１／１０倍である。また、揺動体２の長さの上限値は、好ましくは擬似餌本体１の長さの１／２倍であり、より好ましくは１／３倍であり、さらに好ましくは１／４倍である。
揺動体２の長さが擬似餌本体１の長さの１／２０を下回る場合、揺動体２が揺動しても殆ど目立たず、外観効果を損ねる虞がある。他方、揺動体２の長さが擬似餌本体１の長さの１／２倍よりも長い場合、揺動体２の空気抵抗が大きくなることにより擬似餌１０を遠くまで投げ難くなる虞があるだけでなく、水中における擬似餌１０の操作性が低下し、擬似餌をうまくダートさせたりシャクリさせたりすることが困難となる虞がある。
例えば、本実施形態のように長さ５〜２５ｃｍのエビを模した擬似餌本体１を用いる場合、揺動体２の長さは、０．２５ｃｍ〜８．５ｃｍとすることが好ましく、０．５ｃｍ〜７ｃｍとすることがより好ましい。
なお、本実施形態のように、揺動体２が棒状部２１と水掻き部２２を有する場合、棒状部２１の長さ（Ａ）と水掻き部２２の長さ（Ｂ）の比率（Ａ：Ｂ）は特に限定されないが、比率（Ａ：Ｂ）は、通常１：３〜３：１であり、好ましくは１：２〜２：１である。
【００２３】
揺動体２の厚みは、特に限定されず、擬似餌本体１のデザインを考慮して適宜設定できる。例えば、揺動体２の厚みの下限値は、例えば、０．１ｍｍであり、好ましくは０．５ｍｍであり、より好ましくは１ｍｍである。また、揺動体２の厚みの上限値は、例えば、３ｍｍであり、好ましくは２ｍｍであり、より好ましくは１．５ｍｍである。
揺動体２が０．１ｍｍよりも薄い場合、対象魚が擬似餌１０を飲み込んだ際に、揺動体２が裂ける虞がある。他方、揺動体２が３ｍｍよりも厚い場合、揺動体２が剛直となることにより水中で揺動し難くなり、外観効果と波動効果が低下する虞がある。なお、揺動体２の厚みは均一であってもよく、不均一であってもよい。
なお、揺動体の厚みとは、側面視における揺動体の延出方向と直交する方向の長さを意味する。
【００２４】
図１に示すように、擬似餌本体１の前後方向及び幅方向に平行な仮想面（以下、「仮想面」と称する）と揺動体２の成す内角αは特に限定されないが、その下限値は通常５°であり、好ましくは１０°であり、より好ましくは２０°である。また、内角αの上限値は通常８０°であり、好ましくは７０°であり、より好ましくは６０°である。なお、図１では、仮想面を破線で示している。
内角αが５°を下回る場合、揺動体２が水流を受け難くなり揺動し難くなる虞がある。他方、内角αが８０°を上回る場合、揺動体２は揺動するものの、空気抵抗が大きくなり、擬似餌１０を遠くまで投げ難くなる虞がある。
【００２５】
内角αは、全ての揺動体２について同じ値であってもよく、異なっていてもよい。内角αが全ての揺動体２について同じである場合、各揺動体２が有する水掻き部２２は、平行であると言える。
本実施形態では、最前の揺動体２から最後の揺動体２にかけて内角αが徐々に大きくなるように複数の揺動体２が延出されている。擬似餌１０が遊泳した際、水流は、擬似餌本体１の前方から後方にかけて流れる。内角αが全ての揺動体２について同じ値である場合、前方の揺動体２は水流を受け易いのに対し、後方の揺動体２は水流を受け難くなりあまり揺動しない虞がある。これに対し、前方の揺動体２に比して後方の揺動体２の方が内角αが大きい場合、後方の揺動体２も水流を受けやすくなり、前方の揺動体２と略同等に揺動することが可能である。
最前の揺動体２から最後の揺動体２にかけて内角αが徐々に大きくなるように複数の揺動体２が延出されている場合、ある揺動体２の内角αとある揺動体２の前後に隣接する別の揺動体２の内角αの差（以下、「内角差」と称する）の下限値は、特に限定されないが、通常１°であり、好ましくは２°であり、より好ましくは３°である。また、内角差の上限値は、特に限定されないが、通常２０°であり、好ましくは１０°であり、より好ましくは７°である。
【００２６】
揺動体２は、可撓性を有する材料から形成されている。可撓性を有する材料とは、外力が加わらない状態では所定の形状を維持でき、外力が加わると、その形状が変形し得る材料である。
可撓性を有する材料としては、特に限定されないが、例えば、軟質合成樹脂（エラストマー系樹脂、シリコン系樹脂、アクリル系樹脂、又はウレタン系樹脂など）やゴムなどの高分子材料が挙げられる。これらの高分子材料は、可撓性と弾力性を有する。
揺動体２は、例えば、これらの高分子材料を所定形状（本実施形態の場合、棒状部２１と水掻き部２２を有する形状）に成形することにより得られる。
揺動体２は、透明であってもよく不透明であってもよいが、好ましくは有色透明又は不透明であり、より好ましくは有色透明である。揺動体２が有色透明であれば、前方に位置する揺動体２を透かして後方に位置する揺動体２を観察でき、擬似餌１０の外観効果の向上が期待できるためである。
揺動体２が透明である場合、その光線透過率は、例えば７０％以上であり、好ましくは８０％以上であり、より好ましくは９０％以上である。なお、光線透過率は、ＪＩＳ  Ｋ  ７１０５−１９８１（プラスチックの光学的特性試験方法）に準じた方法によって測定した値であり、光線透過率（％）＝（Ｔ２／Ｔ１）×１００、で算出される値をいう。ここで、Ｔ２は、全光線透過量（試験片を透過した全光量）を表し、Ｔ１は、入射光量を表す。
【００２７】
本考案において、揺動体２の数は複数（２本以上）であれば特に限定されず、擬似餌本体１のデザインを考慮して適宜設定できる。揺動体２の数の下限値は、好ましくは３本であり、より好ましくは４本である。揺動体２の数の上限値は、通常、１５本であり、好ましくは１０本であり、より好ましくは６本である。
揺動体２の数が１５本を上回ると、揺動体２の空気抵抗が大きくなり、遠くまで擬似餌１０を投げ難くなる虞がある。
【００２８】
本考案では、複数の揺動体２は、所定間隔を空けて一列に配設されている。
ここで、「所定間隔を空けて」とは、複数の揺動体２の間隔が同じ（一定）である場合、及び、複数の揺動体２の間隔が異なる場合を含んでいる。また、「一列に配設」とは、下面視において複数の揺動体２の基端２３を結ぶことで観念される仮想線ＶＬが、略直線であることを意味する。略直線とは、厳密な直線のみならず、本考案の技術分野で許容される範囲の非直線（例えばジグザグ線）を含んでいる。本実施形態では、図２に示すように、３つの揺動体２の基端２３を結んだ一点鎖線で示される仮想線ＶＬは、下面視において擬似餌本体１の前後方向と略平行な直線である。そのため、本実施形態では、複数の揺動体２（本実施形態では３つ）は、略一定間隔を空けて、前後方向と略平行な方向に一列に配設されていると言える。
【００２９】
揺動体２の間隔は特に限定されないが、その下限値は、通常、揺動体２の長さの１／３倍であり、好ましくは１／２倍であり、より好ましくは１倍（揺動体２の長さと同じ）である。また、揺動体２の間隔の上限値は、通常、揺動体２の長さの５倍であり、より好ましくは３倍であり、特に好ましくは２倍である。
なお、揺動体２の間隔は、下面視において、隣り合った２つの揺動体２の基端２３（擬似餌本体１との境界）間の直線距離を意味しており、本実施形態では、隣り合う２つの揺動体２が有する棒状部２１の基端２３間の直線距離が揺動体２の間隔に相当する。
揺動体２の間隔が、揺動体２の長さの１倍以上である場合、隣り合う揺動体２が干渉し難くなり、水中において効果的に波動を発生させることができる。
【００３０】
さらに、本考案では、下面視における複数の揺動体２の延出方向が、擬似餌本体１の前後方向と略平行である。
本実施形態では、図１に示すように、揺動体２は、側面視において擬似餌本体１の胴部１２の下方部から前方斜め下がりに延出されている。そのため、下面視における揺動体２の延出方向（上下方向を考慮しない揺動体２の延出方向）は前方であり、擬似餌本体１の前後方向と略平行である。
なお、「揺動体２の延びる方向と擬似餌本体１の前後方向が略平行」とは、下面視における揺動体２の延出方向と擬似餌本体１の前後方向が厳密に平行である場合だけでなく、本考案の技術分野で許容される誤差を含む。具体的には、下面視における揺動体２の延出方向と擬似餌本体１の前後方向が０°を超え５°未満の内角を成す場合を含み、好ましくは０°を超え３°未満の内角を成す場合を含む。
【００３１】
また、複数の揺動体２は、図２及び図３に示すように、下面視において擬似餌本体１の輪郭の内側に位置することが好ましい。換言すると、揺動体２は、上面視において擬似餌本体１に隠れて見えないことが好ましい（擬似餌本体１が透明である場合を除く）。
一般的に、釣り人は、擬似餌１０を保管する際、擬似餌１０に合わせて区画された複数の収納部を有する専用のキャリーボックスに擬似餌１０を収納する。キャリーボックスは、擬似餌１０の収納数を上げるために、各収納部の広さを狭くする傾向にある。そのため、収納部は、擬似餌本体１の前後方向及び幅方向よりも若干広い空間とされている場合が多い。そのため、下面視において擬似餌本体１の輪郭の外側に出る揺動体２は、収納部の周壁に当たって折り曲がり易い。揺動体２が収納部の周壁に当たった状態で長期間に亘って擬似餌１０を保管すると、揺動体２に折り癖が付き、その結果、擬似餌１０の操作性が損なわれるだけでなく、外観効果と波動効果も損なわれる虞がある。
この点、揺動体２が下面視において擬似餌本体１の輪郭の内側に位置している場合、揺動体２が収納部の周壁に当たり難くなり、その結果、長期間に亘って優れた外観効果と波動効果を維持し、且つ、操作性に優れた擬似餌１０を形成することができる。
【００３２】
一般的に、節足を有する本物の餌（例えば、エビ）は、左右一対の節足を有しており、且つ、左右一対の節足は、下面視においてその本体（擬似餌本体１に相当）の輪郭よりも外方に延出している。換言すると、節足を有する本物の餌は、所定間隔を空けて二列に並んだ節足を有し、且つ、この節足の延出方向は、本体の前後方向と非平行である場合が多い。
これに対し、本考案の擬似餌１０は、所定間隔を空けて一列に配設された揺動体２を有し、且つ、揺動体２の延出方向が本体の擬似餌本体１の前後方向と略平行である。そのため、本考案の揺動体２は、非揺動状態においては、本物の餌の節足と外観が若干異なるものの、水中で揺動した際には、本物の餌の節足と似た外観を呈し、さらに本物の節足の動きによって生じる波動と似た波動を発生すると考えられる。また、本考案の揺動体２は、空気抵抗が少なく水中における擬似餌１０の操作性を損ね難い。従って、本考案の擬似餌１０は、水中において優れた外観効果及び波動効果を発揮するだけでなく、操作性にも優れるため、従来の擬似餌に比してより釣果の向上が期待できる。
【００３３】
［第２実施形態］
図４（ａ）及び図４（ｂ）は、本考案の第２実施形態に係る擬似餌１０を示す側面図である。
第１実施形態では、全ての揺動体２が擬似餌本体１から前方斜め下がりに延出するように設けられていたが、本実施形態では、擬似餌１０は、擬似餌本体１から後方斜め下がりに延出した揺動体２を有する。
本実施形態の第１例を示す図４（ａ）では、全ての揺動体２が擬似餌本体１の下方部から後方斜め下がりに延出しており、本実施形態の第２例を示す図４（ｂ）では、最前に位置する揺動体２のみが擬似餌本体１の下方部から前方斜め下がりに延出しており、それ以外の揺動体２は擬似餌本体１の下方部から後方斜め下がりに延出している。
また、第１実施形態では、最前の揺動体２から最後の揺動体２にかけて内角αが徐々に大きくなるように揺動体２が延出されているが、本実施形態の第１例では、揺動体２の内角αは全て同じであり、複数の揺動体２の水掻き部２２は、互いに平行とされている。
また、本実施形態の第２例では、最前に位置する前方斜め下がりに延出した揺動体２とその隣に位置する後方斜め下がりに延出した揺動体２の間隔と、後方斜め下がりに延出した２つの揺動体２の間隔と、が異なる（前者の間隔が後者の間隔の約１／２である）。
本実施形態に係る擬似餌１０も、第１実施形態に係る擬似餌１０と同様の理由により釣果の向上が期待できる。
【００３４】
［第３実施形態］
図５は、第３実施形態に係る擬似餌１０を示す下面図である。
第１実施形態では、複数の揺動体２は、下面視において擬似餌本体１の前後方向と略平行となるように一列に配設されていたが、本実施形態では、揺動体２は、下面視において擬似餌本体１の前後方向と非平行となるように一列に配設されている。換言すると、複数の揺動体２は、下面視において擬似餌本体１の幅方向に位置ズレしつつ一列に配設されている。
具体的には、複数の揺動体２は、その基端２３を結ぶことで観念される仮想線ＶＬと擬似餌本体１の前後方向の成す内角βが０°を超え９０°未満となるように一列に配設されている。この内角βの上限値は、３０°であることが好ましく、より好ましくは２０°であり、さらに好ましくは１０°である。
【００３５】
第１実施形態に係る擬似餌１０では、下面視において複数の揺動体２が擬似餌本体１の前後方向と略平行となるように一列に配設されているため、擬似餌１０を正面から又は背面から観察した際、最前の揺動体２によってそれより後方に配設された揺動体２が隠れ易い。
これに対し、本実施形態では、下面視において複数の揺動体２が擬似餌本体１の前後方向と非平行となるように一列に配設されているため、擬似餌１０を正面から又は背面から観察した場合でも、最前の揺動体２によってそれより後方に配設された揺動体２が隠れ難い。そのため、本実施形態の擬似餌１０は、第１実施形態に係る擬似餌１０よりも外観効果に優れる。
【符号の説明】
【００３６】
１０…擬似餌、１…擬似餌本体、２…揺動体、２１…棒状部、２２…水掻き部、３…釣り針、４…ミチ糸連結部、５…錘、ＶＬ…仮想線
【図１】
0003208387.tif 000003
【図２】
0003208387.tif 000004
【図３】
0003208387.tif 000005
【図４】
0003208387.tif 000006
【図５】
0003208387.tif 000007